(57)【要約】【課題】カウンターと壁面間の隙間を覆う隙間部材を確実に壁面に密接させて、隙間なくカウンターを設置できるカウンターの隙間部材を提供する。【解決手段】断面略コの字状のカウンター５の端縁５ｂと壁面６との間の隙間を埋める隙間部材７は、カウンターの端縁５ｂの表面を覆う形状に形成されているとともに、壁面６に固設されたフック９に差し込むことで、フック９を介し壁面６に密接される垂下部７４を備えている。【選択図】図２
2008099756.tif 000002
【特許請求の範囲】
【請求項１】
断面略コの字状のカウンターの端縁と壁面との間の隙間を埋める隙間部材であって、該隙間部材は、前記カウンターの端縁の表面を覆う形状に形成されているとともに、前記壁面に固設されたフックに差し込むことで、該フックを介し前記壁面に密接される垂下部を備えていることを特徴とするカウンター隙間部材。
【請求項２】
前記隙間部材には、前記カウンターの端縁に取り付けた状態で、該カウンターの裏面に当接して前後動を防ぐことのできる垂直な当接部が備えられていることを特徴とする請求項１に記載のカウンター隙間部材。
【発明の詳細な説明】
【技術分野】
【０００１】
本発明は、カウンターと壁面間の隙間を覆うことのできるカウンター隙間部材に関するものである。
【背景技術】
【０００２】
従来、特許文献１に開示されているように、カウンター本体の左右両端に差込部を設けておき、カウンター本体を支持する浴室壁に固定した支持体の端部には、カウンター本体の差込部を挿入する差込口を設け、この差込口に挿入するカウンター本体の差込部の差込量を調整して、カウンター本体と浴室壁との隙間をなくして浴室カウンターを設置する構成が存在する。
【特許文献１】特開２００４−１４７７１１号公報
【発明の開示】
【発明が解決しようとする課題】
【０００３】
上記特許文献１の浴室カウンターにおいては、カウンター本体の差込部を支持体に差し込む量を調整してカウンター本体と浴室壁との隙間をなくすことができるが、浴室壁に支持体をぴったりとした状態に固定する構造については何ら開示されておらず、支持体と浴室壁との間に隙間が生じ易く、この隙間が生ずると見栄えが悪く、また汚れが溜まり易いという問題点があった。
【課題を解決するための手段】
【０００４】
本発明は上記従来の問題点に鑑み案出したものであって、浴室の壁にぴったりとした状態で隙間なく設置することができ、カウンターを容易に施工できるカウンターの隙間部材を提供するものであり、その請求項１は、断面略コの字状のカウンターの端縁と壁面との間の隙間を埋める隙間部材であって、該隙間部材は、前記カウンターの端縁の表面を覆う形状に形成されているとともに、前記壁面に固設されたフックに差し込むことで、該フックを介し前記壁面に密接される垂下部を備えていることである。
【０００５】
また、請求項２は、前記隙間部材には、前記カウンターの端縁に取り付けた状態で、該カウンターの裏面に当接して前後動を防ぐことのできる垂直な当接部が備えられていることである。
【発明の効果】
【０００６】
本発明は、断面略コの字状のカウンターの端縁と壁面との間の隙間を埋める隙間部材であって、該隙間部材は、前記カウンターの端縁の表面を覆う形状に形成されているとともに、前記壁面に固設されたフックに差し込むことで、該フックを介し前記壁面に密接される垂下部を備えていることにより、浴室の壁面に固設されたフックに対し隙間部材の垂下部を差し込むと、壁面にぴったりとした状態で隙間部材を当接させることができ、壁面との間に隙間が生ずることがなく、また隙間部材はカウンターの端縁の表面を覆う形状に形成されているため、隙間部材によりカウンターの端縁と浴室の壁面間の隙間を確実に塞いで、見栄え良くカウンターを設置することができるものとなる。
【０００７】
また、前記隙間部材には、前記カウンターの端縁に取り付けた状態で、該カウンターの裏面に当接して前後動を防ぐことのできる垂直な当接部が備えられていることにより、予めカウンターの端縁に隙間部材を嵌め込んだ状態では、当接部により隙間部材がカウンターに対し前後方向に移動することが防がれた状態となり、隙間部材を取り付けた状態でカウンターを押し込んで隙間部材をフックに差し込み壁面に固定することができ、予め隙間部材を取り付けた状態でカウンターを壁面に施工できるため、カウンターの施工作業が容易なものとなる。
【実施例】
【０００８】
以下、本発明の実施例を図面に基づいて説明する。
図１は、浴室内の概略正面構成図であり、浴室１内に設置されている浴槽２のエプロン部２ａに一端側を当接させて、カウンター５を洗い場３側の正面壁面４に設置する際に、カウンター５の他端と浴室の側壁面６間に隙間部材７を介在させて、隙間なくカウンター５を浴室の壁面に設置できるものである。
このカウンター５と隙間部材７の施工前の分解斜視図を図２に示し、施工後の状態を図３に斜視図で示す。
【０００９】
カウンター５は、断面略コの字状に一体形成されており、垂直面５１の上端に略水平に上面５２が形成され、垂直面５１の下端に下面５３が略水平に形成されており、上面５２および下面５３の先端には、それぞれバックガード部５４が一体形成されている。このバックガード部５４は、立ち上げられた立上片５４ａと、水平に折曲された水平片５４ｂで構成されている。また、垂直面５１の中央部には、前方側へ湾曲状に突出して洗面器を載せることのできる洗面器載せ部５５が一体形成されている。このような断面略コの字状のカウンター５は、浴室のＬ，Ｒに対応可能に、上下反転させて使用できるように上下が対称形状に形成されたものである。
【００１０】
このようなカウンター５の左端縁５ａは、浴槽のエプロン部２ａに当接されて設置されるが、カウンター５の右端縁５ｂと浴室の側壁面６間には、例えば２〜５ｍｍ程度の隙間が生ずるため、この隙間を覆うために隙間部材７が用いられる。
なお、浴室の正面壁面４には、予め取付ブラケット８，８を固設しておき、この取付ブラケット８，８にカウンター５をビス止めして固定することができるものである。
なお、隙間部材７は、浴室の側壁面６に予めビス１０で固設される側面フック９に、前方側から押し込んで差込状にして取り付けできるように構成されている。
【００１１】
この隙間部材７は、図４に斜視図で、また違う向きから見た図５の斜視図で、また図６の縦断面構成図で示すような構造に形成されている。
即ち、隙間部材７は、カウンター５の右端縁５ｂの表面を覆うことのできる形状に形成された表側リブ７１の裏側に差込溝７３を形成させて平行状に裏側リブ７２が一体形成されており、この裏側リブ７２から垂直な垂下部７４が形成され、垂下部７４の中央部には開口Ｋが開口形成されている。
表側リブ７１は、カウンター５の垂直面５１の前面に被さる垂直片７１ａを有し、垂直片７１ａの上下端にそれぞれ略水平に水平片７１ｂが一体形成され、各水平片７１ｂの先端で立上片７１ｃが形成され、立上片７１ｃから略水平に水平片７１ｄが形成されたものであり、水平片７１ｂ，７１ｂはカウンター５の上面５２および下面５３の表面に被さるものであり、また立上片７１ｃはカウンターのバックガード部５４の立上片５４ａの前面に被さり、水平片７１ｄはバックガード部５４の水平片５４ｂの上面に被さる形状に形成されている。
【００１２】
また、裏側リブ７２も同様な形状に形成されており、垂直な当接部７２ａが表側リブの垂直片７１ａの裏側に平行状に設けられ、当接部７２ａの上下端にそれぞれ水平に水平片７２ｂ，７２ｂが形成されており、この各水平片７２ｂの先端で立ち上げて当接部７２ｃが形成され、当接部７２ｃから水平に水平片７２ｄが形成されている。
カウンター５の右端縁５ｂが隙間部材７の差込溝７３内に差し込まれた状態では、裏側リブ７２の当接部７２ａがカウンターの垂直面５１の裏側に当接し、また裏側リブ７２の水平片７２ｂ，７２ｂがカウンターの上面５２および下面５３の裏側に当接され、更に裏側リブの当接部７２ｃがカウンターのバックガード部の立上片５４ａの裏側に当接され、裏側リブ７２の水平片７２ｄがカウンターの水平片５４ｂの裏側に当接されるものである。
【００１３】
このような形状の隙間部材７を予めカウンター５の右端縁５ｂに嵌め込んで、カウンターの右端縁５ｂ表面を隙間部材７の表側リブ７１で覆うことができ、この隙間部材７をカウンター５に差し込んで取り付けた状態では、カウンター５に対し隙間部材７の上下動は、表側リブ７１の水平片７１ｂ，７１ｂおよび裏側リブ７２の水平片７２ｂ，７２ｂにより防がれ、また隙間部材７の前後動は、表側リブ７１の垂直片７１ａ，立上片７１ｃおよび裏側リブ７２の当接部７２ａ，７２ｃにより防がれて、隙間部材７はカウンター５に対して上下および前後動することなく取り付けられることとなる。
【００１４】
このように、カウンター５の右端縁５ｂに隙間部材７を取り付けた状態で、カウンター５を正面壁面４側に押し込むと、隙間部材７の垂下部７４が側面フック９に差し込まれてゆくこととなる。
即ち、側面フック９は、ビス１０で側壁面６に固定される固定片９ａと、この固定片９ａの上端で略水平な受け段部９ｂが形成され、受け段部９ｂから上方へ立ち上げて押圧片９ｃが一体形成されたものであり、押圧片９ｃと側壁面６間の隙間内に隙間部材７の垂下部７４が差し込まれると、押圧片９ｃにより垂下部７４が側壁面６に押し付けられて、側壁面６に隙間部材７が密接された状態となる。この状態は、図７の要部縦断面構成図で示す。
【００１５】
このようにして、カウンター５に隙間部材７を取り付けた状態でカウンター５を正面壁面４側に押し込むと、隙間部材７の垂下部７４が側面フック９に差し込まれて、側面フック９の押圧片９ｃにより隙間部材７は側壁面６に密接されて、全く隙間のない状態に側壁面６に隙間部材７が固定されることとなり、カウンター５の設置状態において側壁面６との隙間が全く生ずることなく、極めて良好な見栄え性を呈してカウンター５を設置することができるものとなり、隙間部材７が側壁面６に密接されているため汚れが生ずることがなく、またカウンター５の右端縁５ｂは隙間部材７の表側リブ７１で覆われて、極めてすっきりとした設置状態となる。
また、カウンター５に隙間部材７を嵌め込んでおき、この状態で正面壁面４側へ押し込むだけであるため、施工作業も極めて容易に行うことができるものである。
【００１６】
なお、側面フック９に隙間部材７の垂下部７４が差し込まれた状態において、図７に示すように、垂下部７４の下端が側面フック９の受け段部９ｂ上に当接するようにすれば、この受け段部９ｂで荷重を受けることができるものとなる。即ち、隙間部材７およびカウンター５の荷重を側面フック９の受け段部９ｂで受けることにより、取付ブラケット８による支持とともに、支持力を更に強化することができるものとなり、カウンター５の設置強度を良好に確保できるものとなる。
【００１７】
次に、図８は変更例を示すものであり、図８では、カウンター５は断面略コの字状に形成されているが、バックガード部５４が存在しない形状となっており、また、隙間部材７にもバックガード部に相当する立上片７１ｃ，水平片７１ｄ，当接部７２ｃ，水平片７２ｄは存在せず、さらに、隙間部材７に、図４における裏側リブ７２は存在せず、垂直な当接部７２ａの一部のみが存在するものとなっている。
即ち、隙間部材７の垂直片７１ａの裏側には平行状に垂直な当接部７２ａが形成されており、垂直片７１ａの上下端に略水平な水平片７１ｂ，７１ｂが一体形成され、この各上下の水平片７１ｂから垂下状に垂下部７４が一体形成されている。
なお、側面フック９は、図４のものと同一なものである。
【００１８】
隙間部材７の向きを変えた拡大斜視図は図９に示し、この隙間部材７にカウンター５の右端縁５ｂが差し込まれた状態は、図１０に示す。
即ち、カウンター５の右端縁５ｂに隙間部材７を取り付ける際には、カウンター５の垂直面５１が隙間部材７の垂直片７１ａと当接部７２ａ間の差込溝７３内に差し込まれ、カウンター５の上面５２および下面５３がそれぞれ隙間部材７の水平片７１ｂ，７１ｂの裏側に嵌め込まれることとなる。
【００１９】
この隙間部材７がカウンター５に嵌め込まれた状態では、水平片７１ｂ，７１ｂにより隙間部材７の上下動が防がれ、また垂直片７１ａおよび当接部７２ａにより隙間部材７の前後動も防がれた状態となり、カウンター５を正面壁面４側へ押し込んでゆくと、隙間部材７も押し込まれて、隙間部材７の垂下部７４が側面フック９に差し込まれてゆき、側面フック９の押圧片９ｃにより側壁面６側へ押圧されて、隙間部材７は側壁面６に密接された状態で固定される。
従って、カウンター５の施工が容易であり、カウンター５を設置した状態では、カウンター５の右端縁５ｂは隙間部材７により覆われ、しかも隙間部材７は側壁面６に密接された状態となり、隙間なく良好な見栄えを呈してカウンター５が設置されることとなる。
【００２０】
なお、上記した施工方法では、カウンター５の右端縁５ｂに予め隙間部材７を嵌め込み状にして取り付けて、その状態でカウンター５を正面壁面４側へ押し込んで施工する施工例を例示しているが、カウンター５の左端縁５ａを浴槽のエプロン２ａに当接させた状態で、先にカウンター５を取付ブラケット８に固定しておき、その後に、隙間部材７を前方側から側面フック９に差し込んで、隙間部材７をカウンター５の右端縁５ｂに被せることもでき、この場合は、図１０における当接部７２ａを無くした隙間部材７を用いて施工できるものである。
【図面の簡単な説明】
【００２１】
【図１】浴室にカウンターを設置した状態の正面概略構成図である。
【図２】カウンターと隙間部材の施工前の分解斜視図である。
【図３】施工後のカウンターと隙間部材の設置状態図である。
【図４】隙間部材と側面フックの拡大斜視構成図である。
【図５】隙間部材を違う方向から見た斜視構成図である。
【図６】隙間部材の縦断面構成図である。
【図７】隙間部材を側面フックに差し込んで壁面に設置した状態の要部縦断面構成図である。
【図８】カウンターと隙間部材の構造を変更させた別例の分解斜視図である。
【図９】図８における隙間部材の拡大斜視構成図である。
【図１０】隙間部材にカウンターの端縁を差し込んだ状態の拡大斜視構成図である。
【符号の説明】
【００２２】
１  浴室
２  浴槽
２ａ  エプロン
４  正面壁面
５  カウンター
５ａ  左端縁
５ｂ  右端縁
６  側壁面
７  隙間部材
８  取付ブラケット
９  側面フック
９ａ  固定片
９ｂ  受け段部
９ｃ  押圧片
５１  垂直面
５２  上面
５３  下面
５４  バックガード部
５５  洗面器載せ部
７１  表側リブ
７１ａ  垂直片
７１ｂ  水平片
７１ｃ  立上片
７１ｄ  水平片
７２  裏側リブ
７２ａ  当接部
７２ｂ  水平片
７２ｃ  当接部
７２ｄ  水平片
７３  差込溝
７４  垂下部
【図１】
2008099756.tif 000003
【図２】
2008099756.tif 000004
【図３】
2008099756.tif 000005
【図４】
2008099756.tif 000006
【図５】
2008099756.tif 000007
【図６】
2008099756.tif 000008
【図７】
2008099756.tif 000009
【図８】
2008099756.tif 000010
【図９】
2008099756.tif 000011
【図１０】
2008099756.tif 000012